(57)【要約】【課題】移動通信端末機に内在されている動き感知部が移動通信端末機の動きを感知し、感知された動きに応じて着信ベル音又は振動の大きさを変更させる方法及びこれを実現する移動通信端末機を提供する。【解決手段】動きを感知し、前記動きに比例する値を出力する動き感知部と、動き感知部からの値に応じてベル音又は振動の大きさを調節し、呼信号又はアラーム動作信号の受信時にこれを処理するように支援するアルゴリズム構造を有するプログラムを記憶し、前記プログラムの駆動のためのデータを記憶するメモリと、動き感知部からの値に応じてベル音又は振動の大きさを調節してユーザに提供し得るようにする制御部と、呼信号又はアラーム動作信号受信の際、対応するベル音または振動を出力するアンプまたはモータ駆動部とから構成される。【選択図】図１
2005065264.tif 000002
【特許請求の範囲】
【請求項１】
移動通信端末機の動きに比例する値を出力する動き感知部と、
前記動き感知部からの値に応じてベル音又は振動の大きさを調節するためのアルゴリズムを有するプログラムを記憶し、前記プログラムの駆動のためのデータを記憶するメモリと、
前記動き感知部からの値が示す移動通信端末機の動き程度に比例してベル音又は振動の大きさを調節する機能を行う制御部とを含んでなる移動通信端末機。
【請求項２】
前記動き感知部がジャイロセンサであることを特徴とする請求項１記載の移動通信端末機。
【請求項３】
呼信号又はアラーム動作信号の命令があるかを確認する第１段階と、
前記呼信号又はアラーム動作信号の命令があれば、制御部が、動き感知部から移動通信端末機の動きに比例する値を読み取る第２段階と、
前記制御部が前記値に応じてベル音の大きさを調節する第３段階とを含んでなる動きに応じて受信動作を制御する方法。
【請求項４】
前記移動通信端末機の動きに比例する値は一定時間の動き感知部からの信号を平均した値であることを特徴とする請求項３記載の動きに応じて受信動作を制御する方法。
【請求項５】
呼信号又はアラーム動作信号の命令があるかを確認する第１段階と、
前記呼信号又はアラーム動作信号の命令があれば、制御部が、動き感知部から移動通信端末機の動きに比例する値を読み取る第２段階と、
前記制御部が前記値に応じて振動量を調節する第３段階とを含んでなる動きに応じて受信動作を制御する方法。
【請求項６】
前記移動通信端末機の動きに比例する値は、一定時間の動き感知部からの信号を平均した値であることを特徴とする請求項５記載の動きに応じて受信動作を制御する方法。
【請求項７】
呼信号又はアラーム動作信号の命令があるかを確認する第１段階と、
前記呼信号又はアラーム動作信号の命令があれば、制御部が、動き感知部から移動通信端末機の動きに比例する値を読み取る第２段階と、
前記制御部が、前記値に応じて、それぞれ異なる種類のベル音を選択する第３段階とを含んでなる動きに応じて受信動作を制御する方法。
【請求項８】
前記移動通信端末機の動きに比例する値は、一定時間の動き感知部からの信号を平均した値であることを特徴とする請求項７記載の動きに応じて受信動作を制御する方法。
【請求項９】
呼信号又はアラーム動作信号の命令があるかを確認する第１段階と、
前記呼信号又はアラーム動作信号の命令があれば、制御部が、動き感知部から移動通信端末機の動きに比例する値を読み取る第２段階と、
前記制御部が、前記値に応じて、動きがなければタイマーを作動させた後、指定時間が経過するとマナーモードに切り換える第３段階とを含んでなる動きに応じて受信動作を制御する方法。
【請求項１０】
前記切り換えられたマナーモードで動きがあれば、前記制御部が前記動き感知部から値を読み取る第４段階と、
前記制御部が前記値に応じてマナーモードを取り消す第５段階とをさらに含んでなる請求項９記載の動きに応じて受信動作を制御する方法。
【請求項１１】
前記移動通信端末機の動きに比例する値は一定時間の動き感知部からの信号を平均した値であることを特徴とする請求項９記載の動きに応じて受信動作を制御する方法。
【請求項１２】
呼信号又はアラーム動作信号の命令があるかを確認する第１段階と、
前記呼信号又はアラーム動作信号の命令があれば、制御部が、動き感知部から移動通信端末機の動きに比例する値を読み取る第２段階と、
前記制御部が、前記値に応じて移動通信端末機が水平に置かれていれば、マナーモードに切り換える第３段階とを含んでなる動きに応じて受信動作を制御する方法。
【請求項１３】
前記切り換えられたマナーモードで動きがあれば、前記制御部が前記動き感知部から値を読み取る第４段階と、
前記制御部が前記値に応じてマナーモードを取り消す第５段階とをさらに含んでなることを特徴とする請求項１２記載の動きに応じて受信動作を制御する方法。
【請求項１４】
前記移動通信端末機の動きに比例する値は、一定時間の動き感知部からの信号を平均した値であることを特徴とする請求項１２記載の動きに応じて受信動作を制御する方法。
【発明の詳細な説明】
【技術分野】
【０００１】
本発明は、動きに応じて受信動作を制御する方法及びこれを実現する移動通信端末機に関し、さらに詳しくは、動きを感知する動き感知部を移動通信端末機に備えることにより、自動的にベル音又は振動の大きさを調整するが、ユーザの動きが多い場合にはベル音又は振動の大きさを大きく出力し、ユーザの動きが少ない場合にはベル音又は振動の大きさを小さく出力することにより、ユーザが周辺状況に合わせて安定的に電話又はアラームを受信し得るようにする方法と、この方法を実現するための移動通信端末機に関する。
【背景技術】
【０００２】
一般に、移動通信端末機には、電話がかかってくる場合にこれをユーザが認知し得るように、着信ベル音／振動モードを支援する機能が搭載されている。すなわち、ユーザは移動通信端末機を携帯した状態で他の仕事を行っているとき、このような機能を用いて、相手の電話がかかってきたことを移動通信端末機から認知することができる。
【０００３】
移動通信端末機のユーザは、移動中にいろいろの環境を経験する。例えば、複雑な地下鉄、動きの多い作業場、静かな会議室などが挙げられる。このような環境の下では、移動通信端末機のユーザが、着信ベル音／振動の大きさを直接手動で変更し、着信ベル音／振動が認知できるように調節しなければならない。したがって、場所又は環境が変わると、これに合わせて毎回変更しなければならないので、移動通信端末機のユーザは不便を感じるしかなかった。
【０００４】
一方、移動通信端末機において周囲環境による騒音度を感知し、これに適した着信ベル音／振動モードを調節する方法と、このような方法が実現された移動通信端末機を提供しようとする試みがあった。ところが、移動通信端末機の動きを感知し或いは移動通信端末機の置かれている状態を推測し、これに基づいてベル音又は振動の大きさを調節する機能は未だ提案されていない。
【発明の開示】
【発明が解決しようとする課題】
【０００５】
本発明は、かかる問題点に鑑みてなされたもので、その目的は、移動通信端末機に内在されている動き感知部が移動通信端末機の動きを感知し、感知された動きに応じて着信ベル音又は振動の大きさを変更させる方法を提供することにある。
【０００６】
本発明の他の目的は、移動通信端末機のユーザに、環境変化に適した着信ベル音又は振動の大きさを調整するための移動通信端末機の動きを感知する動き感知部を備えた移動通信端末機を提供することにある。
【課題を解決するための手段】
【０００７】
上記目的を達成するための本発明は、移動通信端末機の動きを感知し、感知された動きに応じて着信ベル音又は振動の大きさを調節する方法、及びこの方法を実現するための移動通信端末機を提供する。移動通信端末機は、動きを感知し、前記動きに比例する値を出力する動き感知部と、動き感知部からの値に応じてベル音又は振動の大きさを調節し、呼信号又はアラーム動作信号の受信時にこれを処理するように支援するアルゴリズム構造を有するプログラムを記憶し、前記プログラムの駆動のためのデータを記憶するメモリと、動き感知部からの値に応じてベル音又は振動の大きさを調節してユーザに提供し得るようにする制御部と、呼信号又はアラーム動作信号受信の際、対応するベル音または振動を出力するアンプまたはモータ駆動部とから構成される。
【発明の効果】
【０００８】
本発明は、移動通信端末機の動きを測定してユーザの周辺環境を判断し、これに基づいてベル音又は振動の大きさを自動的に調節する。それ故に、移動通信端末機は、ユーザが激しい動きで予め移動通信端末機のベル音又は振動を把握することができない際にもさらに大きい出力を出し、ユーザに受信有無などを知らせ、逆に動きの少ない静かな空間では出力を減らしてユーザの状況に合わせて受信有無などを知らせることができる。また、動きが殆どないか或いは移動通信端末機が机上に置かれているなど、大きいベル音又は振動が不要な場合には移動通信端末機がマナーモードに自動的に切り換えられるので、大きいベル音又は振動による困難発生を防止することができる。
【発明を実施するための最良の形態】
【０００９】
以下、本発明の実施例を添付図面に基づいて詳細に説明する。
【００１０】
図１は本発明に係る移動通信端末機の内部構成を示すブロック図である。本発明に係る移動通信端末機は、入力部１１０、表示部１２０、メモリ１３０、制御部１４０、無線回路部１５０、動き感知部１６０、アンプ１７０、モータ駆動部１８０などから構成される。
【００１１】
入力部１１０は、ユーザが所望の機能を選択し或いは情報を入力する際に用いられるもので、キーパッド、ジョグシャトル、ポイントスティック、タッチスクリーンなど様々な素子が使用できる。本発明では、ユーザが入力部１１０を介して予めアラーム動作機能を入力する。
【００１２】
表示部１２０は、ユーザにいろいろの情報を見せるためのもので、ＬＣＤ(liquid crystal display)が主に用いられる。
【００１３】
メモリ１３０は、移動通信端末機の動作に必要なプログラムとデータを記憶しており、ＥＰＲＯＭ(Erasable Programmable Read Only Memory)、ＳＲＡＭ(Static Random Access Memory)、フラッシュメモリなど様々な素子が使用できる。本発明において、メモリ１３０は、動き感知部１６０からの値に応じて呼信号又はアラーム動作信号の受信時にベル音又は振動を提供するためのアルゴリズムを有するプログラムを記憶する。また、メモリ１３０は、前記プログラムの駆動のためのデータと、これにより使用又は生成されるデータとを記憶する。
【００１４】
制御部１４０は、移動通信端末機の全体動作を制御する役割を果たす。制御部１４０は、マイクロプロセッサ又はＤＳＰ(Digital Signal Processor)などから構成できる。本発明において、制御部１４０は、移動通信端末機の動きを測定し、この動きに応じてベル音又は振動の大きさを調節する機能、自動的にマナーモードに切り換える機能、メモリ１３０に記憶されたベル音又は振動の大きさを呼信号又はアラーム動作信号の受信時にユーザにベル／振動で知らせる機能を行う。
【００１５】
無線回路部１５０は、無線で基地局と音声及び制御情報のやり取りを行えるようにするための回路である。無線回路部１５０は、外部の移動通信端末機が発送する呼信号をアンテナを介して受信し、これを制御部１４０に伝送し、或いはメモリ１３０に記憶されているデータをアンテナを介して発信者の電話機に伝送する機能を行う。
【００１６】
動き感知部１６０は、移動通信端末機の動きを測定する機能を有するもので、移動通信端末機の現在状態の位置や動きなどを測定し、これに相応する値を出力する。動き感知部としては、ジャイロセンサを使用することができる。ジャイロセンサは物体の動き、加速度、傾きなどを感知して表わすセンサであって、ロボットの運動制御又は車両用航法装置、モーショントラッキング(motion tracking)などに用いられている。本発明は、このようなジャイロセンサの機能を活用して移動通信端末機の動きを感知する。
【００１７】
アンプ１７０は、制御部１４０によってスピーカを介してベル音を出力する役割を果たす。
【００１８】
モータ駆動部１８０は、制御部１４０によってモータを駆動させる役割を果たす。
【００１９】
図２ａ及び図２ｂは、本発明によって、呼信号又はアラーム動作信号の受信時に移動通信端末機の動きを測定し、ベル音又は振動の大きさを自動的に調節する過程を示す流れ図である。
【００２０】
まず、図２ａについて説明する。
【００２１】
制御部１４０は、無線回路部１５０のアンテナを介して呼信号があるか或いはユーザが入力部１１０を介して入力したアラーム動作信号があるかを確認する（段階Ｓ２１０）。
【００２２】
前記呼信号又はアラーム動作信号の受信時、制御部１４０は、動き感知部１６０が出力した値を読み取る（段階Ｓ２２０）。
【００２３】
制御部１４０は、前記値に比例してアンプ１７０の利得を調節してベル音の音量を変更し、或いはモータ駆動部１８０の出力を調節して振動量を変更する（段階Ｓ２３０）。
【００２４】
他の実施例として、Ｓ２３０段階で様々な種類のベル音のいずれか一つを出力する機能を追加することができる。すなわち、メモリ１３０に移動通信端末機の動き値に応じるベル音の種類を記憶しておき、感知される移動通信端末機の動き値に応じて当該ベル音を出力する。例えば、動きが多い場合には喧しいベル音が、動きが少ない場合には静かなベル音がそれぞれ出るように指定しておけば、移動通信端末機の動きに応じてベル音の大きさを制御するのと類似の効果が得られる。
【００２５】
図２ａの実施例によれば、制御部は、呼信号又はアラーム動作信号の受信があれば、前記受信直前の動き値に応じるベル音又は振動の大きさを出力する。これは、現在ユーザの状態に合わない大きさのベル音又は振動を出力することができる。例えば、静かな会議室で呼信号受信直前のユーザの動きによって大きいベル音が出力される場合などである。このような問題点を考慮したものが図２ｂの実施例である。
【００２６】
図２ｂは移動通信端末機の動きに応じる値の一定時間の平均を取る過程が追加された流れ図である。
【００２７】
制御部１４０は、動き感知部１６０から値を読み取り、一定時間の平均値を取る（段階Ｓ２４０）。
【００２８】
制御部１４０は、無線回路部１５０のアンテナを介して呼信号があるか或いはユーザが入力部１１０を介して入力したアラーム動作信号があるかを確認する（段階Ｓ２５０）。
【００２９】
前記呼信号又はアラーム動作信号の受信時、制御部１４０は、現在平均値に比例してアンプ１７０の利得を調節してベル音の音量を変更し、或いはモータ駆動部１８０の出力を調節して振動量を変更する（段階Ｓ２６０）。
【００３０】
図３は、本発明によって、呼信号又はアラーム動作信号がないとき、移動通信端末機の動きを測定して自動的にマナーモードに切り換える過程を示す流れ図である。
【００３１】
待機状態の移動通信端末機の現在モードがマナーモードである場合、自動的にマナーモードに切り換えられる過程が不要なので、制御部１４０は、移動通信端末機の現在モードがマナーモードなのか否かを確認する（段階Ｓ３１０）。
【００３２】
移動通信端末機の現在モードがマナーモードでなければ、制御部１４０は、動き感知部１６０が移動通信端末機の動きを感知して出力した値を読み取る。前記過程で動きがあれば、現在モード状態を維持し、移動通信端末機の動きがなければ、Ｓ３３０段階に移行する（段階Ｓ３２０）。
【００３３】
制御部１４０は、動き感知部１６０で読み取った移動通信端末機の状態に応じて移動通信端末機が水平に置かれていれば、マナーモードに切り換え、そうでなければ、Ｓ３４０段階に移行する（段階Ｓ３３０）。
【００３４】
段階Ｓ３３０段階で移動通信端末機が水平に置かれていなければ、制御部１４０はタイマーを作動させる（段階Ｓ３４０）。
【００３５】
制御部１４０は、前記タイマーの指定時間を経過したか否かを確認し（段階Ｓ３５０）、前記タイマーの指定時間が経過する間に移動通信端末機の動きがなければ、移動通信端末機のモードをマナーモードに切り換える（段階３６０）。
【００３６】
マナーモード状態の移動通信端末機に動きがあるか否かを確認し（段階Ｓ３７０）、移動通信端末機に動きがあれば、制御部１４０は動き感知部１６０から値を読み取ってマナーモードを取り消し、元のモードに切り換える（段階Ｓ３８０）。
【００３７】
以上、本発明を幾つかの好ましい実施例によって説明したが、これらの実施例は例示的なもので、本発明を限定するものではない。本発明の属する技術分野で通常の知識を有する者であれば、本発明の思想と特許請求の範囲に提示された権利範囲から逸脱することなく、様々な変化と修正を加えることが可能なのを理解するであろう。
【図面の簡単な説明】
【００３８】
【図１】本発明に係る移動通信端末機の内部構造を示すブロック図である。
【図２ａ】本発明によって、呼信号またはアラーム動作信号があるとき、移動通信端末機の動きを測定してベル音又は振動の大きさを自動的に変更する過程を示す流れ図である。
【図２ｂ】本発明によって、呼信号またはアラーム動作信号があるとき、移動通信端末機の動きを測定してベル音又は振動の大きさを自動的に変更する過程を示す流れ図である。
【図３】本発明によって、呼信号又はアラーム動作信号がないとき、移動通信端末機の動きを測定して自動的にマナーモードに変更する過程を示す流れ図である。
【符号の説明】
【００３９】
１１０    入力部
１２０    表示部
１３０    メモリ
１４０    制御部
１５０    無線回路部
１６０    動き感知部
１７０    アンプ
１８０    モータ駆動部
【図１】
2005065264.tif 000003
【図２ａ】
2005065264.tif 000004
【図２ｂ】
2005065264.tif 000005
【図３】
2005065264.tif 000006